(57)【要約】【課題】リード線を導電性接着剤により太陽電池セルに接着することで複数の太陽電池セルを電気的に接続して太陽電池モジュールを形成する際の太陽電池セルとリード線との接着強度に優れ、耐久性および信頼性の高い太陽電池セルおよびこの太陽電池セルを複数個接続してなる太陽電池モジュールを得ること。【解決手段】受光面およびその裏面に、リード線を導電性接着剤により電気的に接続するためのリード接続電極を有する太陽電池セルであって、前記リード接続電極が、前記リード線を接続する面に複数の突出部を備える。【選択図】        図３
2009295940.tif 000002
【特許請求の範囲】
【請求項１】
受光面およびその裏面に、リード線を導電性接着剤により電気的に接続するためのリード接続電極を有する太陽電池セルであって、
前記リード接続電極が、前記リード線を接続する面に複数の突出部を備えること、
を特徴とする太陽電池セル。
【請求項２】
前記突出部は、前記リード接続電極の長手方向と略直交する方向と略平行な方向に延在して設けられること、
を特徴とする請求項１に記載の太陽電池セル。
【請求項３】
前記突出部は、前記リード接続電極の長手方向と略直交する方向と所定の角度をなした、く字型の形状を呈すること、
を特徴とする請求項１に記載の太陽電池セル。
【請求項４】
前記突出部は、前記リード接続電極の長手方向と略直交する方向と略平行な方向に延在する部分と、前記リード接続電極の長手方向と略直交する方向と所定の角度をなした部分とを備えたコ字型の形状を呈すること、
を特徴とする請求項１に記載の太陽電池セル。
【請求項５】
前記突出部は、前記リード接続電極の長手方向に、前記リード接続電極の長手方向と略直交する方向と所定の角度をなした曲線部を有する形状を呈すること、
を特徴とする請求項１に記載の太陽電池セル。
【請求項６】
前記突出部は、前記リード接続電極の長手方向に延在する複数列にパターン形成されていること、
を特徴とする請求項３〜５のいずれか１つに記載の太陽電池セル。
【請求項７】
前記突出部は、前記リード接続電極の長手方向において中心から端部方向に離れるにしたがって、前記リード接続電極の長手方向と略直交する方向となす角度が大きくなること、
を特徴とする請求項３〜６のいずれか１つに記載の太陽電池セル。
【請求項８】
請求項１〜７のいずれか１つに記載された太陽電池セルが複数個配列され、前記導電性接着剤により前記リード線と前記リード接続電極とが電気的に接続されるとともに隣接する前記太陽電池セル同士が前記リード線で電気的に接続されてなること、
を特徴とする太陽電池モジュール。
【請求項９】
前記リード線は、前記リード接続電極との接続面に突出部を備えること、
を特徴とする請求項８に記載の太陽電池モジュール。
【発明の詳細な説明】
【技術分野】
【０００１】
本発明は、太陽電池セルと、その太陽電池セルを複数個接続してなる太陽電池モジュールに関するものである。
【背景技術】
【０００２】
太陽電池は、所定の電圧および電流を得るために、複数の太陽電池セルを電気的に接続して構成されている。複数の太陽電池セルを電気的に接続する方法としては、太陽電池セルの受光面側に形成された表面電極および反受光面側に形成された裏面電極へ、はんだで被覆された銅線をはんだ付けする方法が一般的である。
【０００３】
しかしながら、リード線と太陽電池セルとでは熱膨張率の差があるため、はんだ付け時の加熱によりリード線接合後の太陽電池セルに残留応力が発生する。そして、この残留応力により太陽電池セルに反りが生じたりマイクロクラックが入ったりすることで、製造工程内での生産性および歩留りの悪化や太陽電池の信頼性低下に繋がる、という問題がある。この問題は、特に太陽電池セルが薄型になるほど顕著に表れる。
【０００４】
このため、太陽電池セルにリード線をはんだ付けする際の上記の問題に対して、はんだ付けではなく、導電性接着剤を使用する方法が検討されている。たとえば特許文献１では、可塑性基板上に非晶質シリコンなどの薄膜よりなる光電変換層を形成するフレキシブル薄膜太陽電池モジュールにおいて、太陽電池セルの電極とリード線とを導電性接着剤により接続し、この導電性接着剤の硬化を結着樹脂による封止と同一の加熱工程で行うことにより、はんだ付け時の加熱による可塑性基板の変形、変色や特性変化を生じない方法を開示している。
【０００５】
また、特許文献２では、バスバー電極を持たない複数の太陽電池セルとリード線とを熱硬化性導電性接着剤を使用して接続することで、リード線のはんだ付け工程を省略し、太陽電池セルの反りが無く、生産性や歩留りおよび長期信頼性の向上を狙った方法を開示している。
【０００６】
【特許文献１】特開平８−２１３６４３号公報
【特許文献１】特開２００５−２４３９３５号公報
【発明の開示】
【発明が解決しようとする課題】
【０００７】
しかしながら、上記従来の技術のような太陽電池セルとリード線の接続に導電性接着剤を使用する方法は、加熱温度を低くしてリード線接合後の太陽電池セルへの残留応力を低減するというものであるが、太陽電池セルと導電性接着剤との接着強度、およびリード線と導電性接着剤との接着強度が低く、リード線が剥がれる、という問題があった。
【０００８】
本発明は、上記に鑑みてなされたものであって、リード線を導電性接着剤により太陽電池セルに接着することで複数の太陽電池セルを電気的に接続して太陽電池モジュールを形成する際の太陽電池セルとリード線との接着強度に優れ、耐久性および信頼性の高い太陽電池セルおよびこの太陽電池セルを複数個接続してなる太陽電池モジュールを得ることを目的とする。
【課題を解決するための手段】
【０００９】
上述した課題を解決し、目的を達成するために、本発明にかかる太陽電池セルは、受光面およびその裏面に、リード線を導電性接着剤により電気的に接続するためのリード接続電極を有する太陽電池セルであって、前記リード接続電極が、前記リード線を接続する面に複数の突出部を備えること、を特徴とする。
【発明の効果】
【００１０】
この発明によれば、リード接続電極が有する突出部により、リード接続電極とリード線を導電性接着剤により電気的に接続する際の太陽電池セルに対する導電性接着剤のアンカー効果（投錨効果）を高め、また接着面積を増加させることで、太陽電池セルとリード線の接続強度を向上させることができる。これにより、太陽電池セルとリード線との接着強度に優れ、耐久性および信頼性の高い太陽電池セルを得ることができる、という効果を奏する。
【発明を実施するための最良の形態】
【００１１】
以下に、本発明にかかる太陽電池セルおよび太陽電池モジュールの実施の形態を図面に基づいて詳細に説明する。なお、本発明は以下の記述に限定されるものではなく、本発明の要旨を逸脱しない範囲において適宜変更可能である。また、以下に示す図面においては、理解の容易のため、各部材の縮尺が実際とは異なる場合がある。各図面間においても同様である。
【００１２】
実施の形態１．
図１および図２は、本発明の実施の形態１にかかる太陽電池セル１０の概略構成を示す図であり、図１は太陽電池セル１０の受光面側の平面図、図２は図１の線分Ａ−Ａにおける断面図である。実施の形態１にかかる太陽電池セル１０においては、たとえば半導体基板１であるｐ型多結晶シリコン基板の受光面側にリン拡散によって不純物拡散層が形成されているとともにシリコン窒化膜よりなる反射防止膜が形成されている。なお、不純物拡散層および反射防止膜については、本発明と直接関係がないため図示および詳細な説明を省略する。
【００１３】
太陽電池セル１０の受光面側には、受光面積を極力広く確保しながら太陽電池セル１０の全面より集電して変換効率の向上を図るための複数の細線電極であるセル受光面グリッド電極２が、図１に示すように太陽電池セル１０の幅方向のほぼ全幅に渡って略平行に配設される。
【００１４】
また、太陽電池セル１０の受光面側には、リード接続電極として、セル受光面グリッド電極２と導通する２本のリード接続電極３が、図１に示すように受光面の面内方向においてセル受光面グリッド電極２と略直交するように太陽電池セル１０の長さ方向のほぼ全長に渡って設けられている。ここでは、セル受光面グリッド電極２の長手方向を太陽電池セル１０の幅方向とし、リード接続電極３の長手方向を太陽電池セル１０の長さ方向としている。
【００１５】
なお、本実施の形態においては、リード接続電極３の本数を２本としているが、リード接続電極３は３本以上の本数が形成される場合もある。このリード接続電極３には、後述する太陽電池の製造の後工程でリード線５が導電性接着剤４により、電気的に接続（接合）される。
【００１６】
リード接続電極３におけるリード線５と接続される側の表面（上面）３ｂには、導電性接着剤４との接着力を向上させるために、リード接続電極３の長手方向と略直交する方向（セル受光面グリッド電極２の長手方向と略平行な方向）に延在する複数の細い突出部（凸部）３ａのパターンが形成されている。
【００１７】
また、太陽電池セル１０の反受光面側には、裏面電極（図示せず）と、リード線５を接続するためのリード接続電極１３と、が形成されている。そして、反受光面側のリード接続電極１３におけるリード線５と接続される側の表面（上面）１３ｂにも受光面側のリード接続電極３と同様に導電性接着剤４との接着力を向上させるために、複数の細い凸部１３ａが形成されている。
【００１８】
凸部３ａおよび凸部１３ａの寸法は、リード接続電極３の上面３ｂまたはリード接続電極１３の上面１３ｂからの高さが１０μｍ〜１００μｍ、幅が１０μｍ〜５ｍｍとすることが好ましい。このような凸部３ａおよび凸部１３ａは、リード接続電極３またはリード接続電極１３の長手方向において等間隔で配置されてもよく、またリード線５の接続後の太陽電池セル１０の残留応力を緩和するためにリード接続電極３またはリード接続電極１３の長手方向において外側ほどピッチ間を狭くするなど不等間隔で配置されてもよい。
【００１９】
図３は、図１および図２に示した太陽電池セル１０を複数接続して構成した太陽電池モジュールの要部断面図であり、導電性接着剤４を使用して太陽電池セル１０のリード接続電極３およびリード接続電極１３にリード線５を接続した状態を示す要部断面図である。図３は、図１の線分Ａ−Ａにおける断面図に対応している。また、ガラスや樹脂シートなどによる封止材は図示を省略している。
【００２０】
導電性接着剤４は、熱硬化性の樹脂接着剤に導電性のフィラーを混合させることで導電性を発現させる接着剤である。接着剤としてはエポキシ樹脂やアクリル樹脂などが用いられ、硬化温度は２００℃以下のものが好ましい。導電性のフィラーは、導電性の良い銀（Ａｇ）粒子を用いることが多いが、銅（Ｃｕ）粒子やニッケル（Ｎｉ）めっき樹脂粒子などを用いることもでき、球状、イガ栗状、フレーク状など様々な形状の導電性フィラーを用いることができる。
【００２１】
凸部３ａを備えたリード接続電極３に導電性接着剤４を用いてリード線５を接続することで、図３に示すように導電性接着剤４へリード接続電極３の凸部３ａが食い込むため、導電性接着剤４のアンカー効果（投錨効果）が高まり、また凸部３ａの存在によりリード接続電極３と導電性接着剤４との接着面積が増加することによって、導電性接着剤４とリード接続電極３との接着強度が向上する。これにより、リード接続電極３とリード線５との接着強度を向上させることができる。また、リード接続電極３と導電性接着剤４との接着面積増加の効果として、導電性接着剤４とリード接続電極３との接着強度向上の他に、太陽電池セル１０−リード線５間の抵抗の低減を図り、特性を向上させることもできる。
【００２２】
同様に凸部１３ａを備えたリード接続電極１３に導電性接着剤４を用いてリード線５を接続することで、図３に示すように導電性接着剤４へリード接続電極１３の凸部１３ａが食い込むため、導電性接着剤４のアンカー効果（投錨効果）が高まり、また凸部１３ａの存在によりリード接続電極１３と導電性接着剤４との接着面積が増加することによって、導電性接着剤４とリード接続電極１３との接着強度が向上する。これにより、リード接続電極１３とリード線５との接着強度を向上させることができる。また、リード接続電極１３と導電性接着剤４との接着面積増加の効果として、導電性接着剤４とリード接続電極１３との接着強度向上の他に、太陽電池セル１０−リード線５間の抵抗の低減を図り、特性を向上させることもできる。
【００２３】
さらに図４に示すように、リード線５の表面に突出部を形成して凹凸形状５ａを設けることで、導電性接着剤４のアンカー効果と、リード線５と導電性接着剤４との接着面積の増加とにより、受光面側、反受光面側ともに導電性接着剤４とリード線５の接着強度を向上させることができる。図４は、リード線５の表面に凹凸形状５ａを設けた場合の太陽電池モジュールの要部断面図である。
【００２４】
このように構成された実施の形態１にかかる太陽電池セル１０は以下のようにして作製される。まず、半導体基板１として、たとえば基板の一面側の表面にリン拡散によって不純物拡散層が形成されたｐ型多結晶シリコン基板を用意する。この半導体基板１上に、たとえばプラズマ支援化学蒸気堆積（ＰＥＣＶＤ：Plasma Enhanced Chemical Vapor Deposition）法などにより、反射防止膜としてシリコン窒素化膜を形成する。
【００２５】
つぎに、半導体基板１の受光面側にスクリーン印刷によってセル受光面グリッド電極２と凸部３ａの無いリード接続電極３の形状に銀の導電性ペーストを塗布した後、導電性ペーストを仮乾燥させる。その後、凸部３ａの部分が開口されているマスクパターンを用いて同じく二度目のスクリーン印刷を行うことで、一度目の印刷で形成されたリード接続電極３の銀の導電性ペーストの上に凸部３ａの形状に銀の導電性ペーストを塗布し、仮乾燥させる。これにより、略平坦なリード接続電極３上に凸部３ａの形状が形成される。
【００２６】
つぎに、半導体基板１の反受光面側に、裏面電極の形状にアルミニウムペーストを塗布し、リード接続電極１３の形状に銀の導電性ペーストを塗布した後、仮乾燥させる。その後、凸部１３ａの部分が開口されているマスクパターンを用いて同じく二度目のスクリーン印刷を行うことで、一度目の印刷で形成されたリード接続電極１３の銀の導電性ペーストの上に凸部１３ａの形状に銀の導電性ペーストを塗布し、乾燥後、ペーストを焼成することで、セル受光面グリッド電極２、リード接続電極３、裏面電極、リード接続電極１３を形成する。以上により実施の形態１にかかる太陽電池セル１０が得られる。
【００２７】
なお、太陽電池セル１０の電極の形成に用いるペーストは、上記銀ペースト以外に金ペーストや他の導電性ペーストを用いてもよい。また、めっきやインクジェット印刷法等によって太陽電池セル１０の電極を形成することも可能である。
【００２８】
つぎに、導電性接着剤４を用いて太陽電池セル１０とリード線５とを接続する方法について説明する。一つの方法として、太陽電池セル１０のリード接続電極３上に導電性接着剤４を塗布した後、導電性接着剤４上にリード線５を配置し、導電性接着剤４を加熱硬化する方法がある。リード接続電極１３についても同様である。また、他の方法として、リード線５に導電性接着剤４を塗布した後、該リード線５をリード接続電極３上に配置し、導電性接着剤４を加熱硬化する方法がある。リード接続電極１３についても同様である。これらの方法は、導電性接着剤４の特性や製造工程の設計等の諸条件により適宜選択される。
【００２９】
そして、上記の方法によりリード線５を接続した太陽電池セル１０を複数個接続し、ガラスや樹脂シートなどの封止材により封止することで太陽電池モジュールを作製することができる。これにより、リード接続電極３上に形成された凸部３ａにより導電性接着剤４とリード接続電極３との接着強度の向上が図られ、またリード接続電極１３上に形成された凸部１３ａにより導電性接着剤４とリード接続電極１３との接着強度の向上が図られ、特性や長期信頼性に優れた太陽電池モジュールを得ることができる。
【００３０】
上述したように、実施の形態１にかかる太陽電池セルによれば、リード接続電極３が有する凸部３ａおよびリード接続電極１３が有する凸部１３ａにより、太陽電池セル１０に対する導電性接着剤４のアンカー効果（投錨効果）が高まる。また、凸部３ａおよび凸部１３ａにより、リード接続電極３と導電性接着剤４との接着面積およびリード接続電極１３と導電性接着剤４との接着面積が増加することによって、導電性接着剤４とリード接続電極３および導電性接着剤４とリード接続電極１３との接着強度が向上する。したがって、実施の形態１にかかる太陽電池セルにおいては、導電性接着剤４とリード線５とにより複数の太陽電池セル１０を電気的に接続して太陽電池モジュールを形成する際に、リード接続電極３とリード線５との接着強度およびリード接続電極１３とリード線５との接着強度を向上させることができ、太陽電池セル１０とリード線５との接着強度を向上させることができる。
【００３１】
また、接着面積増加の効果として、接着強度向上の他に、太陽電池セル１０−リード線５間の抵抗の低減を図り、特性を向上させることもできる。
【００３２】
また、本実施の形態にかかる太陽電池モジュールによれば、上述した実施の形態１にかかる太陽電池セル１０同士を導電性接着剤４とリード線５とにより電気的に接続して構成されるため、特性や長期信頼性に優れた太陽電池モジュールが実現される。
【００３３】
本実施の形態にかかる太陽電池モジュールによれば、リード接続電極３とリード線５とをはんだ付けではなく導電性接着剤４により接合しているため、はんだ付け時の加熱に起因した太陽電池セルに残留応力の発生がない。これにより、この残留応力による太陽電池セルの反りやマイクロクラックの発生がなく、製造工程内での生産性および歩留りの悪化が防止された太陽電池モジュールが実現される。
【００３４】
実施の形態２．
実施の形態１においては、リード接続電極３の表面に、セル受光面グリッド電極２の長手方向と略平行な方向に延在する複数の細い凸部３ａのパターンを備える場合について説明したが、実施の形態２では、凸部３ａの他のパターンについて説明する。
【００３５】
図５は、実施の形態２にかかる太陽電池セルの概略構成を示す図であり、受光面側の平面図である。実施の形態２にかかる太陽電池セルは、リード接続電極３の表面に設けられた凸部３ａのパターン以外は、実施の形態１にかかる太陽電池セルと同じ構成を有する。
【００３６】
実施の形態２にかかる太陽電池セルにおいては、図５に示すようにリード接続電極３におけるリード線５と接続される側の表面（上面）３ｂにおいてセル受光面グリッド電極２と０°より大きく、９０°より小さい所定の角度をなして「く字型」または「逆く字型」に設けられた凸部３ｃのパターンが、リード接続電極３の長手方向に配列されている。凸部３ｃの寸法は、リード接続電極３の上面３ｂからの高さが１０μｍ〜１００μｍとすることが好ましい。このような凸部３ｃは、リード接続電極３の長手方向において等間隔で配置されてもよく、またリード線５の接続後の太陽電池セル１０の残留応力を緩和するためにリード接続電極３の長手方向において外側ほどピッチ間を狭くするなど不等間隔で配置されてもよい。
【００３７】
リード線５をリード接続電極３へ接合するために導電性接着剤４を硬化させると、導電性接着剤４は収縮を起こす。ここで、凸部３ｃに角度をつけておくことにより、導電性接着剤４が凸部３ｃへ楔のように食い込み、また凸部３ｃの長さを長くして凸部３ｃの表面積を増やすことでリード接続電極３と導電性接着剤４との接着面積が増加し、導電性接着剤４とリード接続電極３との接着強度が向上する。これにより、リード接続電極３とリード線５との接着強度を向上させることができる。また、リード接続電極３と導電性接着剤４との接着面積増加の効果として、導電性接着剤４とリード接続電極３との接着強度向上の他に、太陽電池セル１０−リード線５間の抵抗の低減を図ることもできる。さらに、導電性接着剤４の長手方向の収縮を短手方向へ逃がすことで、残留応力を緩和して接着信頼性をより高めることができる。
【００３８】
図５に示した凸部３ｃと同様の効果が得られる凸部の他の例として、たとえば図６に示すようなリード接続電極３の凸部３ｄ、図７に示すようなリード接続電極の凸部３ｅのパターンを用いることもできる。図６は、凸部の他の例である凸部３ｄを、リード接続電極３におけるリード線５と接続される側の表面（上面）３ｂに有する太陽電池セル１０の受光面側の平面図である。図７は、凸部の他の例である凸部３ｅを、リード接続電極３におけるリード線５と接続される側の表面（上面）３ｂに有する太陽電池セル１０の受光面側の平面図である。
【００３９】
図６に示す太陽電池セル１０では、図１に示した凸部３ａのパターンと図５に示した凸部３ｃのパターンとを組み合わせて構成した「コ字型」または「逆コ字型」の形状を呈する凸部３ｄのパターンが、リード接続電極３におけるリード線５と接続される側の表面（上面）３ｂに設けられている。また図７に示す太陽電池セル１０では、リード接続電極３の長手方向に曲線部を有する略半円リング状の形状を呈する凸部３ｅのパターンが、リード接続電極３におけるリード線５と接続される側の表面（上面）３ｂに設けられている。
【００４０】
このような凸部３ｄのパターンまたは凸部３ｅのパターンをリード接続電極３におけるリード線５と接続される側の表面（上面）３ｂに設けることによっても、凸部３ｃと同様の効果が得られる。すなわち、リード線５をリード接続電極３へ接合するために導電性接着剤４を硬化させる際に、導電性接着剤４が凸部３ｄまたは凸部３ｅへ楔のように食い込み、また凸部３ｄまたは凸部３ｅの表面積が広くなることでリード接続電極３と導電性接着剤４との接着面積が増加し、導電性接着剤４とリード接続電極３との接着強度が向上する。また、リード接続電極３と導電性接着剤４との接着面積増加の効果として、導電性接着剤４とリード接続電極３との接着強度向上の他に、太陽電池セル１０−リード線５間の抵抗の低減を図ることもできる。さらに、導電性接着剤４の長手方向の収縮を短手方向へ逃がすことで、残留応力を緩和して接着信頼性をより高めることができる。
【００４１】
また、図８に示すように「く字型」または「逆く字型」に設けられた凸部３ｃのパターンが、リード接続電極３の長手方向において２列に形成された構成とすることもできる。図８は、リード接続電極３の長手方向において２列に延在するパターンに形成された凸部３ｃを、リード接続電極３におけるリード線５と接続される側の表面（上面）３ｂに有する太陽電池セル１０の受光面側の平面図である。
【００４２】
このような２列の凸部３ｃのパターンをリード接続電極３におけるリード線５と接続される側の表面（上面）３ｂに設けることによっても、凸部３ｃを１列で形成したときと同様の効果が得られる。すなわち、リード線５をリード接続電極３へ接合するために導電性接着剤４を硬化させる際に、導電性接着剤４が２列の凸部３ｃへ楔のように食い込み、また凸部３ｃの表面積が広くなることでリード接続電極３と導電性接着剤４との接着面積が増加し、導電性接着剤４とリード接続電極３との接着強度が向上する。
【００４３】
さらに、２列に凸部３ｃのパターンを形成することで、導電性接着剤４の塗布位置やリード線５の位置がリード接続電極３の短手方向においてずれてしまった場合でも、硬化時の収縮の際に導電性接着剤４が、リード接続電極３に２列に形成された凸部３ｃのパターンへ楔のように食い込み、導電性接着剤４とリード接続電極３との接着強度を高める効果がある。
【００４４】
図８では「く字型」または「逆く字型」に設けられた凸部３ｃのパターンが、リード接続電極３の長手方向において２列に形成された場合を示しているが、図９に示すように上記の凸部３ｄのパターンをリード接続電極３の長手方向において２列に形成してもよい。また、図１０に示すように上記の凸部３ｅのパターンをリード接続電極３の長手方向において２列に形成してもよい。これらの場合においても、図８に示すように凸部３ｃのパターンがリード接続電極３の長手方向において２列に形成された場合と同様の効果を得ることができる。また、凸部３ｃ等のパターンの列数は２列に限るものではなく、３列以上とすることもできる。
【００４５】
また、図１１に示すように、リード接続電極３におけるリード線５と接続される側の表面（上面）３ｂにおいてリード接続電極３の長手方向において中心から端部方向に行くにしたがって、凸部３ｃのセル受光面グリッド電極２となす角度が大きくなる構成としても良い。すなわち、リード接続電極３の長手方向において端部方向に行くほど「くの字」の角度が急に、リード接続電極３の長手方向における中心に行くほど「くの字」の角度が浅くなる構成としても良い。
【００４６】
リード線５をリード接続電極３へ接合するために導電性接着剤４を硬化させた際に導電性接着剤４は収縮を起こすが、リード接続電極３の長手方向における中心から離れるほど収縮による移動量が大きくなる。長手方向における中心の部分は長手方向には収縮せず、短手方向の収縮のみが起こるため、「くの字」の角度を浅くする。また、長手方向における端部は短手方向の収縮に比べて長手方向の収縮が大きいため、「くの字」の角度を急にする。このような構成とすることにより、導電性接着剤４が収縮した際にリード接続電極３に設けられた凸部３ｃのパターンへ楔のように食い込み易くなり、導電性接着剤４とリード接続電極３との接着強度を高めることができる。
【００４７】
なお、上記においては凸部３ｃのパターンを例に説明したが、凸部３ｄのパターンおよび凸部３ｅのパターンについても、リード接続電極３の長手方向における中心から離れるほど、セル受光面グリッド電極２となす角度が大きくなる構成としても良い。さらに、図８〜図１０に示すように凸部３ｃ、凸部３ｄ、凸部３ｅをそれぞれ複数列に配置する場合に適用しても良い。
【００４８】
実施の形態３．
図１２、図１３は、実施の形態３にかかる太陽電池セルの受光面側の要部平面図であり、凸部３ａのさらに他のパターンを示す図である。図１２は、リード接続電極３におけるリード線５と接続される側の表面（上面）３ｂに、略円柱形状を呈する微細な凸部３ｆが所定の配列パターンで配置された状態を示している。図１３は、リード接続電極３におけるリード線５と接続される側の表面（上面）３ｂに、略直方体形状を呈する微細な凸部３ｇが所定の配列パターンで配置された状態を示している。
【００４９】
このような凸部３ｆまたは凸部３ｇを備えたリード接続電極３に導電性接着剤４を用いてリード線５を接続することで、凸部３ａの場合と同様に導電性接着剤４へリード接続電極３の凸部３ｆまたは凸部３ｇが食い込むため、導電性接着剤４のアンカー効果（投錨効果）が高まり、また凸部３ｆまたは凸部３ｇの存在によりリード接続電極３と導電性接着剤４との接着面積が増加することによって、導電性接着剤４とリード接続電極３との接着強度が向上する。これにより、凸部３ａの場合と同様に、リード接続電極３とリード線５との接着強度を向上させることができる。また、リード接続電極３と導電性接着剤４との接着面積増加の効果として、導電性接着剤４とリード接続電極３との接着強度向上の他に、太陽電池セル１０−リード線５間の抵抗の低減を図り、特性を向上させることもできる。
【００５０】
なお、上記においては受光面側について説明したが、反受光面側について適用した場合も同様の効果を得ることができる。
【００５１】
上述したように、実施の形態２にかかる太陽電池セルによれば、リード接続電極３が有する凸部３ｃ、３ｄ、３ｅにより、太陽電池セル１０に対する導電性接着剤４のアンカー効果（投錨効果）が高まる。また、凸部３ｃ、３ｄ、３ｅにより、リード接続電極３と導電性接着剤４との接着面積が増加することによって、導電性接着剤４とリード接続電極３との接着強度が向上する。
【００５２】
したがって、実施の形態２にかかる太陽電池セルにおいては、実施の形態１の場合と同様に、導電性接着剤４とリード線５とにより複数の太陽電池セル１０を電気的に接続して太陽電池モジュールを形成する際に、リード接続電極３とリード線５との接着強度を向上させることができ、太陽電池セル１０とリード線５との接着強度を向上させることができる。
【００５３】
また、接着面積増加の効果として、接着強度向上の他に、太陽電池セル１０−リード線５間の抵抗の低減を図り、特性を向上させることもできる。さらに、導電性接着剤４の長手方向の収縮を短手方向へ逃がすことで、残留応力を緩和して接着信頼性をより高めることができる。
【産業上の利用可能性】
【００５４】
以上のように、本発明にかかる太陽電池セルは、導電性接着剤とリード線とにより複数の太陽電池セルを電気的に接続して太陽電池モジュールを製造する場合に有用である。
【図面の簡単な説明】
【００５５】
【図１】本発明の実施の形態１にかかる太陽電池セルの受光面側の平面図である。
【図２】図１の線分Ａ−Ａにおける断面図である。
【図３】本発明の実施の形態１にかかる太陽電池セルを複数接続して構成した太陽電池モジュールの要部断面図である。
【図４】リード線の表面に凹凸形状を設けた場合の太陽電池モジュールの要部断面図である。
【図５】本発明の実施の形態２にかかる太陽電池セルの受光面側の平面図である。
【図６】本発明の実施の形態２にかかる他の太陽電池セルの受光面側の平面図である。
【図７】本発明の実施の形態２にかかる他の太陽電池セルの受光面側の平面図である。
【図８】本発明の実施の形態２にかかる他の太陽電池セルの受光面側の平面図である。
【図９】本発明の実施の形態２にかかる他の太陽電池セルの受光面側の平面図である。
【図１０】本発明の実施の形態２にかかる他の太陽電池セルの受光面側の平面図である。
【図１１】本発明の実施の形態２にかかる他の太陽電池セルの受光面側の平面図である。
【図１２】本発明の実施の形態３にかかる太陽電池セルの受光面側の要部平面図である。
【図１３】本発明の実施の形態３にかかる太陽電池セルの受光面側の要部平面図である。
【符号の説明】
【００５６】
１  半導体基板
２  セル受光面グリッド電極
３  リード接続電極
３ａ  凸部
３ｂ  受光面側のリード接続電極におけるリード線と接続される側の表面（上面）
３ｃ  凸部
３ｄ  凸部
３ｅ  凸部
３ｆ  凸部
３ｇ  凸部
４  導電性接着剤
５  リード線
５ａ  凹凸形状
１０  太陽電池セル
１３  リード接続電極
１３ａ  凸部
１３ｂ  反受光面側のリード接続電極におけるリード線と接続される側の表面（上面）
【図１】
2009295940.tif 000003
【図２】
2009295940.tif 000004
【図３】
2009295940.tif 000005
【図４】
2009295940.tif 000006
【図５】
2009295940.tif 000007
【図６】
2009295940.tif 000008
【図７】
2009295940.tif 000009
【図８】
2009295940.tif 000010
【図９】
2009295940.tif 000011
【図１０】
2009295940.tif 000012
【図１１】
2009295940.tif 000013
【図１２】
2009295940.tif 000014
【図１３】
2009295940.tif 000015